(57)【要約】【課題】複数のソーラーＬＥＤ街路灯の検査を省電力で連続して同時にかつ安定して行うことが可能なソーラーＬＥＤ街路灯を提供する。【解決手段】支柱の頂部に設けられたソーラーパネルと、支柱の上部に設けられたＬＥＤ照明部と、ソーラーパネルからの電力をバッテリに蓄電しＬＥＤ照明部への給電を制御する電装ボックスとを有するソーラーＬＥＤ街路灯において、電装ボックスは、ソーラーパネル、バッテリ又はＬＥＤ照明部の故障又は異常を判断する制御情報を出力する電力コントローラと、複数のソーラーＬＥＤ街路灯同士間で無線通信にて送受信可能な送受信部とを有する通信コントローラを備えるとともに、１のソーラーＬＥＤ街路灯の通信コントローラを介して、他のソーラーＬＥＤ街路灯の電力コントローラの制御情報を出力することを特徴とする。【選択図】図３
2015046333.tif 000002
【特許請求の範囲】
【請求項１】
支柱の頂部に設けられたソーラーパネルと、前記支柱の上部に設けられたＬＥＤ照明部と、前記ソーラーパネルからの電力をバッテリに蓄電し前記ＬＥＤ照明部への給電を制御する電装ボックスとを有するソーラーＬＥＤ街路灯において、
前記電装ボックスは、前記ソーラーパネル、前記バッテリ又はＬＥＤ照明部の故障又は異常を判断する制御情報を出力する電力コントローラと、複数の前記ソーラーＬＥＤ街路灯同士間で無線通信にて送受信可能な送受信部とを有する通信コントローラを備えるとともに、１の前記ソーラーＬＥＤ街路灯の前記通信コントローラを介して、他の前記ソーラーＬＥＤ街路灯の前記電力コントローラの前記制御情報を出力することを特徴とするソーラーＬＥＤ街路灯。
【請求項２】
請求項１に記載のソーラーＬＥＤ街路灯において、前記通信コントローラは、周囲の状態を計測する環境センサを備えるとともに、１の前記ソーラーＬＥＤ街路灯の前記通信コントローラを介して、他の前記ソーラーＬＥＤ街路灯の前記通信コントローラの前記環境センサの測定した環境情報を出力することを特徴とするソーラーＬＥＤ街路灯。
【請求項３】
請求項１又は２に記載のソーラーＬＥＤ街路灯において、前記無線通信は、無線ＬＡＮ、ブルーツゥース又はジグビーの近距離無線通信方式を用いることを特徴とするソーラーＬＥＤ街路灯。
【発明の詳細な説明】
【技術分野】
【０００１】
本発明は太陽光発電のソーラーパネルを利用して蓄電するバッテリから放電された電力でＬＥＤ照明により照明が行なえるようにしたソーラーＬＥＤ街路灯に関する。
【背景技術】
【０００２】
従来、太陽光発電を利用したソーラーＬＥＤ街路灯は、ＬＥＤ照明を利用することにより省電力で運用することができるため、商用電源が通っていない道路の脇に沿って一定間隔で並べて設置されている。そして、ソーラーＬＥＤ街路灯は、昼間に太陽光で発電された電力をバッテリ（蓄電池）に蓄電して夜間に一定時間の間、ＬＥＤ照明の街路灯を点灯させるようになっている。また、各ソーラーＬＥＤ街路灯に商用電源から電力を供給する必要もないので道路脇に設置されたソーラーＬＥＤ街路灯群は、商用電源に接続されないばかりでなく互いにも配線されなく各々独立して設置されている。
しかし、電力を貯めるバッテリはもちろんＬＥＤ照明として機能させる各種の電気機器についても定期的に検査、そして交換などの作業も行なえるようにするために、検査が行ない易い構造を有するものもある。そして、街路灯の制御部に、外部通信機器との間で情報を無線通信にて送受信可能な送受信部を設け、制御部は、電源部の電源部動作状況の情報を取得し、取得情報に日時情報を対応付けしてなる電源部情報を送受信部で発信させる発信制御を行なうものとされていて、電源部動作状況の情報を外部通信機器に対して送信可能とした構成を備えているものが知られている（例えば、特許文献１参照）。
【先行技術文献】
【特許文献】
【０００３】
【特許文献１】特開２０１２−２２７１０５号公報
【発明の概要】
【発明が解決しようとする課題】
【０００４】
しかしながら、所定間隔で並んで設けられている各ソーラーＬＥＤ街路灯の検査時に、いちいちそれぞれのソーラーＬＥＤ街路灯の近くに行き各々を検査するには、多くの移動時間がかかるという問題が生じていた。更に、多くのソーラーＬＥＤ街路灯の内の１のソーラーＬＥＤ街路灯との通信は、その１のソーラーＬＥＤ街路灯が通信可能な外部通信機器と一対一で行われて、ソーラーＬＥＤ街路灯の備える電気機器の制御情報を収集するのが一般的であるため、多くのソーラーＬＥＤ街路灯の近くに行きそれぞれを検査するために時間と手間がかかり検査の省力化が困難になっていた。
【０００５】
本発明はかかる事情に鑑みてなされたもので、複数のソーラーＬＥＤ街路灯の検査を省力して行うことが可能なソーラーＬＥＤ街路灯を提供することを目的とする。
【課題を解決するための手段】
【０００６】
前記目的に沿う請求項１記載のソーラーＬＥＤ街路灯は、支柱の頂部に設けられたソーラーパネルと、前記支柱の上部に設けられたＬＥＤ照明部と、前記ソーラーパネルからの電力をバッテリに蓄電し前記ＬＥＤ照明部への給電を制御する電装ボックスとを有するソーラーＬＥＤ街路灯において、
前記電装ボックスは、前記ソーラーパネル、前記バッテリ又はＬＥＤ照明部の故障又は異常を判断する制御情報を出力する電力コントローラと、複数の前記ソーラーＬＥＤ街路灯同士間で無線通信にて送受信可能な送受信部とを有する通信コントローラを備えるとともに、１の前記ソーラーＬＥＤ街路灯の前記通信コントローラを介して、他の前記ソーラーＬＥＤ街路灯の前記電力コントローラの前記制御情報を出力する。
【０００７】
請求項２記載のソーラーＬＥＤ街路灯は、請求項１記載のソーラーＬＥＤ街路灯において、前記通信コントローラは、周囲の状態を計測する環境センサを備えるとともに、１の前記ソーラーＬＥＤ街路灯の前記通信コントローラを介して、他の前記ソーラーＬＥＤ街路灯の前記通信コントローラの前記環境センサの測定した環境情報を出力する。
【０００８】
請求項３記載のソーラーＬＥＤ街路灯は、請求項１又は２記載のソーラーＬＥＤ街路灯において、前記無線通信は、無線ＬＡＮ、ブルーツゥース又はジグビーの近距離無線通信方式を用いる。
【発明の効果】
【０００９】
請求項１記載のソーラーＬＥＤ街路灯においては、外部通信機器は、各ソーラーＬＥＤ街路灯に対し、それぞれ一対一で通信して複数回、検査を行っていた時間が大幅に抑えられ、１のソーラーＬＥＤ街路灯に対して、１回だけ通信して検査等することだけでよいことになる。その結果、ネットワークに繋がった複数のソーラーＬＥＤ街路灯の検査を効率的かつ省力化して実施することが可能になる。
【００１０】
特に、請求項２記載のソーラーＬＥＤ街路灯においては、ソーラーＬＥＤ街路灯がソーラーＬＥＤ街路灯の周辺の環境状態を計測する環境センサを有するので、各ソーラーＬＥＤ街路灯の周辺に行かなくても、１のソーラーＬＥＤ街路灯の近くで、他のソーラーＬＥＤ街路灯の環境センサで検出された、環境情報を入手することが可能になる。
【００１１】
特に、請求項３記載のソーラーＬＥＤ街路灯においては、無線通信は、無線ＬＡＮ、ブルーツゥース又はジグビーの近距離無線通信方式を用いているので、消費電力を少なくすることができるのでバッテリの残量を気にすることなく運用することが可能になる。
【図面の簡単な説明】
【００１２】
【図１】本発明の一実施の形態に係るソーラーＬＥＤ街路灯の設置状態を示す説明図である。
【図２】同ソーラーＬＥＤ街路灯を示す説明図である。
【図３】同ソーラーＬＥＤ街路灯の電力の流れを示すシステム図である。
【図４】同ソーラーＬＥＤ街路灯の電装ボックスが備える電力コントローラのブロック図である。
【図５】同ソーラーＬＥＤ街路灯の電装ボックスが備える通信コントローラのブロック図である。
【図６】同ソーラーＬＥＤ街路灯の電力コントローラの第一モジュールのフローチャートである。
【図７】同ソーラーＬＥＤ街路灯の電力コントローラの第二モジュールのフローチャートである。
【図８】同ソーラーＬＥＤ街路灯の電力コントローラの第三モジュールのフローチャートである。
【図９】同ソーラーＬＥＤ街路灯の電力コントローラの第四モジュールのフローチャートである。
【図１０】同ソーラーＬＥＤ街路灯の通信コントローラの第五モジュールのフローチャートである。
【発明を実施するための形態】
【００１３】
続いて、添付した図面を参照しつつ、本発明を具体化した実施の形態につき説明し、本発明の理解に供する。
ここで、図１は本発明の一実施の形態に係るソーラーＬＥＤ街路灯の設置状態を示す説明図、図２は同ソーラーＬＥＤ街路灯を示す説明図、図３は同ソーラーＬＥＤ街路灯の電力の流れを示すシステム図、図４は同ソーラーＬＥＤ街路灯の電装ボックスが備える電力コントローラのブロック図、図５は同ソーラーＬＥＤ街路灯の電装ボックスが備える通信コントローラのブロック図、図６は同ソーラーＬＥＤ街路灯の電力コントローラの第一モジュールのフローチャート、図７は同ソーラーＬＥＤ街路灯の電力コントローラの第二モジュールのフローチャート、図８は同ソーラーＬＥＤ街路灯の電力コントローラの第三モジュールのフローチャート、図９は同ソーラーＬＥＤ街路灯の電力コントローラの第四モジュールのフローチャート、図１０は同ソーラーＬＥＤ街路灯の通信コントローラの第五モジュールのフローチャートである。
【００１４】
図１に示すように、本発明の一実施の形態に係るソーラーＬＥＤ街路灯１１、１１ａ、１１ｂ、１１ｃは、道路脇に数十メートルの間隔で動作可能な状態に設置され互いに隣接するソーラーＬＥＤ街路灯と無線通信を行うことで遠く離れたソーラーＬＥＤ街路灯の制御情報を得ることができる。ここでは、ソーラーＬＥＤ街路灯１１を介して、コーディネータと呼ばれる外部通信機器２７がソーラーＬＥＤ街路灯１１、１１ａ、１１ｂ、１１ｃの制御情報を得ることが可能になっており、ソーラーＬＥＤ街路灯システム１０を形成している。また、無線通信の方式は、無線ＬＡＮ、ブルーツゥース、ジグビーなどを用いることができる。
【００１５】
ここでは、ジグビーを用いて省電力化を図っている。データ通信速度は最大２５０ｋｂｐｓで、最大伝送距離は１００ｍ、一つのネットワークで最大６５５３５台のソーラーＬＥＤ街路灯を接続できる。ジグビーのノードは、コーディネータ、ルータ、エンドデバイスの３種類の仕様がある。一つのネットワークは必ず一つのコーディネータが必要でネットワークの確立や参加する端末の管理を行う。ここでは、外部通信機器２７がコーディネータとなる。また、ルータであるソーラーＬＥＤ街路灯１１、１１ａ、１１ｂは、エンドデバイスの参加の受付や他の端末である他のソーラーＬＥＤ街路灯からのデータ中継を行う。さらに、エンドデバイスであるソーラーＬＥＤ街路灯１１ｃは必要最低限のネットワーク機能のみを持っている端末である。ここのシステムでは、ツリー型のネットワークを形成している。他のネットワークの形態は図示しないがスター型、メッシュ型と呼ばれるような１対Ｎ型、１対１型の通信網を形成する通信を行ってもよい。
【００１６】
図２に示すように、ソーラーＬＥＤ街路灯１１は、地面に設置された支柱１２に上端部に斜め上方に受光面を向けるようにソーラーパネル１３が設置されている。このソーラーパネル１３で太陽光を受けて発電をする。そして、支柱１２の上端部で、ソーラーパネル１３の下方に、ＬＥＤ照明部１４が下方の周辺部を照らすように設けられている。さらに、支柱１２の下部に電力制御や通信制御のための機器が内蔵された電装ボックス１５が設けられている。ここでは、支柱１２は、長さ４０００ｍｍでφ７６ｍｍの鋼管であり、固定のために地面の下の基礎コンクリート（図示せず）に６００ｍｍ程度埋め込まれている。
【００１７】
また、ソーラーＬＥＤ街路灯１１の全体の高さは、およそ３６００ｍｍ程度あり、ＬＥＤ照明部１４は２０Ｗ防犯灯相当の照度があり地面から３０００ｍｍ程度の位置に設けられる。ソーラーパネル１３は縦横７６０ｍｍ×５４０ｍｍ程度であり５０Ｗの出力がある。さらに、電装ボックス１５は、縦横５００ｍｍ×４００ｍｍで厚さ２５０ｍｍであり、下面が地上より３００ｍｍの位置に設けられ、支柱１２に固定されている。
【００１８】
次に、本発明の一実施の形態に係るソーラーＬＥＤ街路灯１１を用いたソーラーＬＥＤ街路灯システム１０においてソーラーＬＥＤ街路灯１１の動作について説明する。
図３に示すように、電装ボックス１５の中には、ソーラーパネル１３からの電力を貯めるバッテリ１６と、バッテリ１６からの直流を交流の商用電源に変換するインバータ１７と、ここで行われる発電、充電、放電を制御し監視する電力コントローラ１８と、電力コントローラ１８の制御情報や環境センサ２１で検出した環境情報を取得して他のソーラーＬＥＤ街路灯や外部通信機器２７と通信する通信コントローラ１９が設けられている。そして、日中はソーラーパネル１３で発電された電力は電力コントローラ１８を介してバッテリ１６に充電されていく。そして、日没後ソーラーパネル１３が発電しなくなるとバッテリ１６に蓄えられた電力は、電力コントローラ１８を介してインバータ１７に放電され、直流１２Ｖから交流１００Ｖに変換される。そして、ＬＥＤ照明部１４に供給されて、照明が点灯していく。
【００１９】
ここで、バッテリ１６は、鉛蓄電池を使用しており直流１２Ｖの出力を放電できるようになっている。また、電流容量は１０５ＶＡであり、無日照日数１０日程度続いてもＬＥＤ照明部１４が点灯可能になっている。さらに小型化や高出力を望む場合は、リチュウムイオン電池を用いてもよい。
さらに、通信コントローラ１９に接続された環境センサ２１は、ここでは放射線センサであり、具体的にはガイガーミュラー計数管を用いて空間線量を測定することで、空間の放射能のモニタリングができる。
また、環境センサ２１はＰＭ２．５を測定するもの（図示せず）や温度センサ（図示せず）や湿度センサ（図示せず）などを用いてもよい。これらセンサからの環境情報は、設置された場所に依存するので、多くの場所の環境情報は有効に活用できる。さらに、放射線センサについては、地上１ｍの位置に設けられるのが望ましい。
【００２０】
図４に示すように、電力コントローラ１８は、ソーラーパネル１３の発電電圧・電流を計測する発電電圧・電流センサ２３やバッテリ１６の電圧・電流を計測するバッテリ電圧・電流センサ２４やＬＥＤ照明部１４に流れる電流を検出するインバータ電流センサ２５が設けられている。これら、発電電圧・電流センサ２３やバッテリ電圧・電流センサ２４からの信号を受けて、第一モジュール２６、第二モジュール２６ａ、第三モジュール２６ｂ、第四モジュール２６ｃのプログラムによってソーラーパネル１３の発電量、発電異常やバッテリ１６のバッテリ残量、バッテリ異常や劣化、さらに電力コントローラ１８の異常を検知するようになっている。また、ＬＥＤ照明部１４に流れる電流を検出するインバータ電流センサ２５が設けられているのでインバータ異常やＬＥＤ照明の異常等を検出できる。ここでは、これらの電力コントローラの取得する情報を含めてこれらの制御に必要な情報を制御情報という。たとえば、ソーラーパネル１３、バッテリ１６、ＬＥＤ照明部１４、インバータ１７の正常情報、故障情報、異常情報や、バッテリ１６の残量情報等の一部又は全部が含まれる。
【００２１】
通信コントローラ１９は、図５に示すように、外部通信機器２７や他のソーラーＬＥＤ街路灯と無線通信で送受信する送受信部２０が設けられている。そして、通信コントローラ１９には、表示部２２、環境センサ２１が接続されている。さらに環境センサ２１で計測された環境情報、制御情報を表示部２２に表示するようになっている。また、第五モジュール２６ｄのプログラムによって測定データの処理やコントローラ１８の動作状態やバッテリ１６の充電状態を示す表示部２２はＬＣＤで構成している。さらに、たとえば、環境情報とは環境センサ２１の正常情報、故障情報、異常情報や、環境センサ２１の出力情報等の一部又は全部が含まれる。
そして、これらの検知された環境情報や制御情報を通信コントローラ１９に設けられた送受信部２０を介して外部通信機器２７や他のソーラーＬＥＤ街路灯１１ａと無線通信で送受信することになっている。
ここでは、外部通信機器２７は、２．４ＧＨｚの周波数で無線ＬＡＮ、ブルーツゥース又はジグビー（登録商標）の無線通信方式を行うパソコンでよい。また、外部通信機器２７であるパソコンがコーディネータとなり、ルータであるソーラーＬＥＤ街路灯１１を介してネットワークに繋がった複数のソーラーＬＥＤ街路灯１１ａ、１１ｂ、１１ｃの検出したデータを取集することができる。
【００２２】
第一モジュールの発電量演算について、図６のフローチャートに示す。まず、発電量演算を開始する（Ｓ００１）。次に、発電電圧・電流センサ２３により発電電圧・電流を測定する（Ｓ００２）。そして、得られた発電電圧と電流をかけて発電量を演算する（Ｓ００３）。そして、得られた発電量を表示部２２に表示する（Ｓ００４）。そして、再度、Ｓ００２に戻ることにより逐次、最新の発電量を表示する。
【００２３】
第二モジュールの発電異常検出について、図７のフローチャートに示す。まず、発電異常検出を開始する（Ｓ１０１）。次に、発電電圧・電流センサ２３により発電電圧・電流を測定し、バッテリ電圧・電流センサ２４により充電電圧・電流を測定する（Ｓ１０２）。そして、得られた発電電流の有無を判断する（Ｓ１０３）。そして、発電電流の検出がなかったら、再度、Ｓ１０２に戻る（ＮＯの場合）。また、発電電流の検出があったならＳ１０４に進む。ここで発電電圧と充電電圧が等しいかどうか判断する（Ｓ１０４）。等しいときは（ＹＥＳの場合）Ｓ１０５に進み正常と判断して終了する。逆に、異なる場合はＳ１０６に進む。そして、発電電圧が充電電圧より大きいときは（ＹＥＳの場合）、ソーラーパネル１３の異常と判断して終了する。また、発電電圧が充電電圧より小さいときは（ＮＯの場合）、電力コントローラ１８又はバッテリ１６の異常と判断して終了する。
【００２４】
第三モジュールのバッテリ異常検出について、図８のフローチャートに示す。まず、バッテリ異常検出を開始する（Ｓ２０１）。次に、バッテリ電圧・電流センサ２４により放電電圧・電流を測定する（Ｓ２０２）。そして、得られた放電電圧が第一の基準値（ここでは１３．０Ｖ）以上かどうかを判断する（Ｓ２０３）。そして、第一の基準値以上であったなら（ＹＥＳの場合）Ｓ２０４に進む。ここでバッテリ１６の残量が８０％以上と判断してＳ２１２へ進む（Ｓ２０４）。第一の基準値未満であったなら（ＮＯの場合）、第二の基準値（ここでは１２．４Ｖ）以上であるかどうか判断する（Ｓ２０５）。そして、第二の基準値以上であったなら（ＹＥＳの場合）Ｓ２０６に進む。ここでバッテリ１６の残量が４０〜６０％と判断してＳ２１２へ進む（Ｓ２０６）。第二の基準値未満であったなら（ＮＯの場合）、第三の基準値（ここでは１１．８Ｖ）以上であるかどうか判断する（Ｓ２０７）。そして、第三の基準値以上であったなら（ＹＥＳの場合）Ｓ２０８に進む。ここでバッテリ１６の残量が３０％以下と判断してＳ２１２へ進む（Ｓ２０８）。第三の基準値未満であったなら（ＮＯの場合）、第四の基準値（ここでは１０．６Ｖ）以上であるかどうか判断する（Ｓ２０９）。そして、第四の基準値以上であったなら（ＹＥＳの場合）Ｓ２１０に進む。ここでバッテリ１６の残量が１０％以上（警告）と判断してＳ２１２へ進む（Ｓ２１０）。第四の基準値未満であったなら（ＮＯの場合）、バッテリ異常と判断してＳ２１２に進む。ここで判断された判定内容について表示部２２に表示する（Ｓ２１２）。そして、終了する。
【００２５】
第四モジュールのバッテリ劣化検出について、図９のフローチャートに示す。まず、バッテリ劣化検出を開始する（Ｓ３０１）。次に、バッテリ電圧・電流センサ２４によりＬＥＤ照明部１４が点灯中の放電電圧・電流を測定する（Ｓ３０２）。そして、得られた放電電圧が所定電圧（ここでは１１．０Ｖ）以上かどうか判断する（Ｓ３０３）。そして、所定電圧以上であったら（ＹＥＳの場合）、Ｓ３０４に進む。ここで、バッテリ１６は正常と判断して終了する（Ｓ３０４）。所定電圧未満であったら（ＮＯの場合）、Ｓ３０５に進む。ここで所定時間以上継続しているかどうか判断する（Ｓ３０５）。所定時間未満のときは（ＮＯの場合）、再度Ｓ３０２に戻る。逆に、所定時間以上の場合はＳ３０６に進む。ここで、バッテリ１６の劣化と判断してＳ３０７に進む（Ｓ３０６）。次にバッテリ劣化と判断された判定内容について表示部２２に表示する（Ｓ３０７）。そして、終了する。
【００２６】
第五モジュールの放射線量測定について、図１０のフローチャートに示す。まず、放射線量測定を開始する（Ｓ４０１）。次に、環境センサ２１（ここでは放射能センサ）でＣＰＭ（Ｃｏｕｎｔ  Ｐａｒ  Ｍｉｎｕｔｅ）の値を測定する（Ｓ４０２）。そして、得られたＣＰＭの値を放射線量に換算する（Ｓ４０３）。そして、過去１分間の得られた放射線量の移動平均をとる（Ｓ４０４）。そして、移動平均をとった放射線量を表示部２２に表示する。
【００２７】
また、電力コントローラ１８で判断されたソーラーパネル１３やバッテリ１６の情報や通信コントローラで検出された環境センサ２１の環境情報については、前に述べたように送受信部２０により隣接する他のソーラーＬＥＤ街路灯に送られて、最終的にはソーラーＬＥＤ街路灯システム１０に無線通信のネットワークで繋がったすべてのソーラーＬＥＤ街路灯の持っている制御情報や環境情報は外部通信機器２７に送られる。
【００２８】
以上、本発明について、実施の形態を参照して説明してきたが、上記の実施の形態に記載の構成に限定されるものではなく、例えば、電力コントローラと通信コントローラを１つのコントローラで構成する場合や、特許請求の範囲に記載されている事項の範囲内考えられるその他の実施の形態や変形例も含むものである。また、前記実施の形態において、環境センサについて、ガイガーミュラー計測管で構成される場合について説明したが、これに限定されるものではない。例えば、環境センサが放射線量測定でなく、温度センサ、湿度センサ等で構成されても本発明のソーラーＬＥＤ街路灯を構成する場合も本発明の権利範囲に含まれる。
【符号の説明】
【００２９】
１０：ソーラーＬＥＤ街路灯システム、１１：ソーラーＬＥＤ街路灯、１１ａ：ソーラーＬＥＤ街路灯、１１ｂ：ソーラーＬＥＤ街路灯、１１ｃ：ソーラーＬＥＤ街路灯、１２：支柱、１３：ソーラーパネル、１４：ＬＥＤ照明部、１５：電装ボックス、１６：バッテリ、１７：インバータ、１８：電力コントローラ、１９：通信コントローラ、２０：送受信部、２１：環境センサ、２２：表示部、２３：発電電圧・電流センサ、２４：バッテリ電圧・電流センサ、２５：インバータ電流センサ、２６：第一モジュール、２６ａ：第二モジュール、２６ｂ：第三モジュール、２６ｃ：第四モジュール、２６ｄ：第五モジュール、２７：外部通信機器、
【図１】
2015046333.tif 000003
【図２】
2015046333.tif 000004
【図３】
2015046333.tif 000005
【図４】
2015046333.tif 000006
【図５】
2015046333.tif 000007
【図６】
2015046333.tif 000008
【図７】
2015046333.tif 000009
【図８】
2015046333.tif 000010
【図９】
2015046333.tif 000011
【図１０】
2015046333.tif 000012